(57)【要約】【課題】部品点数を増やすことなく洗濯機本体を容易に運搬および設置が可能な洗濯機を提供する。【解決手段】底枠２０は、上部底枠２０ａと下部底枠２０ｂとが一体に形成されてなり、上部底枠２０ａは本体１と連結され、下部底枠２０ｂは防水パン２３内に収まるように形成されている。下部底枠２０ｂの前面側板から本体１の前面方向に直角に折れ曲がって形成された上部底枠２０ａの底板に、本体１の幅方向に長く内側に窪んで一体に形成された凹部の取っ手２１を設けた。【選択図】図２
2008188339.tif 000002
【特許請求の範囲】
【請求項１】
洗濯機本体の底枠に一体に形成され、洗濯機本体を運搬するための取っ手を備えたことを特徴とする洗濯機。
【請求項２】
前記取っ手は、底枠の洗濯機本体前面側の底面に設けられていることを特徴とする請求項１記載の洗濯機。
【請求項３】
前記底枠の洗濯機本体前面側の底面が防水パンの側壁より高い位置となるように段差を有して前方に延びて形成され、前記取っ手は、その底枠の防水パン外側の底面に配置されていることを特徴とする請求項１又は２記載の洗濯機。
【請求項４】
前記底枠の洗濯機本体前面側の底面が防水パンの側壁より高い位置となるように段差を有して前方に延びて形成され、前記取っ手は、その段差部分の面に配置されていることを特徴とする請求項１乃至３の何れかに記載の洗濯機。
【請求項５】
洗濯機本体の重心をほぼ通る対角線上で対称となるように配置され、一方が洗濯機本体の底枠に、他方が洗濯機本体の上部にそれぞれ一体に形成され、洗濯機本体を運搬するための取っ手を備えたことを特徴とする洗濯機。
【請求項６】
底枠の取っ手は、底枠の洗濯機本体前面側の底面に設けられ、
洗濯機本体上部の取っ手は、その底面に設けられた取っ手と対称となるように洗濯機本体の背面上部に配置されていることを特徴とする請求項５記載の洗濯機。
【請求項７】
底枠の取っ手は、底枠の背面に設けられ、
洗濯機本体上部の取っ手は、その背面に設けられた取っ手と対称となるように洗濯機本体の前面上部に配置されていることを特徴とする請求項５記載の洗濯機。
【請求項８】
洗濯機本体の背面上部に設けられ、洗濯機本体を防水パンに載せるときに前方に傾けるための取っ手を備えたことを特徴とする洗濯機。
【請求項９】
前記取っ手は、凹部からなっていることを特徴とする請求項１乃至８の何れかに記載の洗濯機。
【請求項１０】
前記凹部の深さが指先から第一関節までの長さ以上とすることを特徴とする請求項９記載の洗濯機。
【請求項１１】
前記凹部は、所定位置にリブを設けてなることを特徴とする請求項９又は１０記載の洗濯機。
【請求項１２】
前記凹部の一面に弾性部材が設けられていることを特徴とする請求項９乃至１１の何れかに記載の洗濯機。
【請求項１３】
前記凹部の一面が曲面になっていることを特徴とする請求項９乃至１１の何れかに記載の洗濯機。
【請求項１４】
底枠の底面に一体に形成された取っ手の凹部の外側上面に制御基板が設けられていることを特徴とする請求項９乃至１２の何れかに記載の洗濯機。
【請求項１５】
前記凹部の側面外周あるいは力の加わる側面に複数のリブが設けられていることを特徴とする請求項９乃至１４の何れかに記載の洗濯機。
【請求項１６】
底枠の洗濯機本体前面側の底面に一体に形成された凹部と、
該凹部の中に取り付けられ、洗濯機本体を運搬するためのＵ字状の取っ手と
を備えたことを特徴とする洗濯機。
【請求項１７】
底枠の洗濯機本体前面側の底面に設けられた取付穴と、
該取付穴に着脱可能に取り付けられ、洗濯機本体を運搬するためのＵ字状の取っ手と
を備えたことを特徴とする洗濯機。
【請求項１８】
前記取付穴は底枠の前面に設けられていることを特徴とする請求項１７記載の洗濯機。
【請求項１９】
前記取付穴は底枠の前面に変えて側面に設けられていることを特徴とする請求項１８記載の洗濯機。
【発明の詳細な説明】
【技術分野】
【０００１】
本発明は、洗濯機本体を運搬するための取っ手に関するものである。
【背景技術】
【０００２】
従来の洗濯機は、洗濯機本体の両側板に樹脂製などで形成された凹部状の取っ手が設けられている。この取っ手で洗濯機本体を運んだり、防水パンに設置している（例えば、特許文献１参照）。
【０００３】
【特許文献１】特開２００５−１９２８８７号公報（図１）
【発明の開示】
【発明が解決しようとする課題】
【０００４】
しかしながら、最近の洗濯機は、高機能化・大容量化に伴い、洗濯機本体の重量が増加し、縦方向の寸法も高くなっているため、洗濯機本体の両側に設けられた取っ手では、特に狭い階段や廊下での運搬がしづらくなっていた。
本発明は、前述のような課題を解決するためになされたもので、部品点数を増やすことなく洗濯機本体を容易に運搬および設置が可能な洗濯機を提供することを目的とする。
【課題を解決するための手段】
【０００５】
本発明に係る洗濯機は、洗濯機本体の底枠に一体に形成され、洗濯機本体を運搬するための取っ手を備えたものである。
【発明の効果】
【０００６】
本発明においては、取っ手を洗濯機本体の底枠に設けたので、洗濯機本体を持ち上げ易くなり、洗濯機本体と運搬者とが進行方向一列になるので、狭い階段や廊下を容易に運べることができる。また、取っ手が底枠に一体に形成されているので、部品点数の削減が可能になっている。
【発明を実施するための最良の形態】
【０００７】
実施の形態１．
図１は本発明の実施の形態１を示す洗濯機の側面側の説明図、図２は底枠の側面側を示す断面図、図３は底枠の下面側斜視図、図４は底枠の上面側斜視図である。
実施の形態１の洗濯機は、図１に示すように、洗濯機本体１（以下、単に「本体１」という）のトップカバー４が前面に向かうに従い下方に傾斜し、その傾斜部分に外蓋５が開閉自在に設けられている。また、本体１の下部には底枠２０が設けられている。本体１内に収納された水槽２は、上部に開口部が設けられた有底円筒状に形成され、その中に洗濯兼脱水槽（図示せず）が回転自在に配設されている。また、水槽２の開口部側には内蓋（図示せず）が設けられており、その内蓋は、機械的または電気的に外蓋５の開閉に連動して開いたり閉じたりするようになっている。
【０００８】
水槽２内に配設された洗濯兼脱水槽の側板には脱水のための複数の通水孔（図示せず）が設けられている。また、洗濯兼脱水槽の底部には、投入された衣類および水を攪拌する攪拌翼（図示せず）が回動自在に配置されている。水槽２の下方に配設されたモータ３は、ギア、クラッチなどの機構を介して攪拌翼や洗濯兼脱水槽と連結される。吊り下げ手段８、１２は、上部側が本体１の四隅に固定された吊り板６に、下部側が水槽２に固定されたフランジ７にそれぞれ揺動可能に取り付けられ、水槽２を懸架している。手前側の吊り下げ手段８は、支持部９と、吊り棒１０と、防振部１１とを備え、奧に設けられた吊り下げ手段１２は、吊り棒駆動部１５と、吊り棒１３と、防振部１１とを備えている。その吊り棒駆動部１５は、洗い工程および乾燥工程において洗濯物の量が少ないときや洗濯終了時に、水槽１が洗濯機の前方に傾くように吊り棒１３を上方に移動させる。
【０００９】
前述した底枠２０は、図２に示すように、上部底枠２０ａと下部底枠２０ｂとが一体に形成されてなり、上部底枠２０ａは本体１と連結され、下部底枠２０ｂは防水パン２３内に収まるように形成されている。下部底枠２０ｂの底板には４つのゴム足２２が取り付けられている。下部底枠２０ｂの前面側板から本体１の前面方向に略直角に折れ曲がって形成された上部底枠２０ａの底板には、本体１の幅方向に長く内側に窪んで一体に形成された凹部の取っ手２１が設けられている。
【００１０】
この取っ手２１は、防水パン２３の側壁より外側に配置され、その凹部の深さが指先から第一関節までの長さ（例えば２５mm）以上に形成されている。また、この取っ手２１は、図３に示すように幅方向に２コ併設され、その凹部の長手方向の長さは、少なくとも４本の指が入るように形成されている。また、図４に示すように、凹部の長手方向の外側側面には補強用の複数のリブ２４がそれぞれ設けられている。上部底枠２０ａの取っ手２１側の底板と床面との間の距離は、指を曲げた手が入るようになっている。
なお、取っ手２１は、図３では、幅方向に２コ併設されているが、４本の指が入る１コの凹部からなる取っ手でも、さらに両手の４本の指がそれぞれ入る幅広の１コの凹部からなる取っ手でも良い。また、取っ手２１は、所定位置にリブ等を設けて形成しても良い。
そして、この取っ手２１の凹部は、２コでも１コでも、本体１の前面から１００mm以内の位置の底枠２０に凹部を設けると持ちやすい。
また、取っ手２１の深さは、約１５mm〜２５mm以上で形成すると、さらに持ち易くなる。なお、凹部の周りにリブ等を設けることで一定以上の深さを確保するようにしても良い。
【００１１】
本体１を運搬する際には、本体１を後方に傾けて前面側を床面からさらに離し、底枠２０の底面（上部底枠２０ａの底板）に設けられた取っ手２１に指を入れて本体１後方の人と持ち上げる。
【００１２】
このように、取っ手２１が凹部からなり、その深さが指先から第一関節までの長さ以上あるため、本体１を持ち上げ易くなり、本体１と運搬者とが進行方向一列になり、運搬時の高さ方向がコンパクトになるため、足が突っかかることもなく、狭い階段や廊下を容易に運べることができる。
【００１３】
また、取っ手２１が底枠２０と一体に形成されているので、部品点数の削減が可能になり、取っ手２１の長手方向の外側側面に複数のリブ２４を設けているので、運搬時の荷重に対する強度を確保できる。
【００１４】
また、取っ手２１が底枠２０と一体に形成されて隙間が無いため、洗濯機駆動時の音漏れを抑えることができる。
【００１５】
また、取っ手２１の配置位置は、取っ手２１が防水パン２３の側壁より外側に配置すれば、防水パン２３への設置や、防水パン２３からの取り出しが容易になるという効果を奏するが、取っ手２１の配置位置は、防水パン２３の側壁より外側に限るものではない。
【００１６】
なお、前記の実施の形態１では、取っ手２１が凹部からなっていることを述べたが、図５に示すように凹部の内側上面にゴムなどの弾性体２５を取り付けるようにしてもよい。この場合の凹部の深さは、弾性体２５の底までの深さ（弾性体圧縮時の深さ）が２５mm以上となるように形成されている。このように取っ手２１に弾性体２５を設けた場合、本体１を運搬しているときの指先への負担が軽減され、持ちやすくなっている。
【００１７】
また、取っ手２１を形成する凹部の内側上面が平らであることを述べたが、図６に示すようにその部分を底枠２０の内側に突出するように曲面状に形成してもよい。この場合の凹部の深さは、前記と同様に２５mm以上となるように形成されている。このように構成した場合、本体１を運搬しているときの指先への負担が軽減され、持ちやすくなっている。
【００１８】
また、上部底枠２０ａの本体１前面側の底板に、本体１の幅方向に長く内側に窪んで一体に形成された凹部の取っ手２１を設けたことを述べたが、図７に示すように下部底枠２０ｂの本体１前面側の側板に、上向きに窪んで一体に形成された凹部の取っ手２１を設けるようにしてもよい。この場合、凹部の内側先端面を底枠２０の内側に突出するように曲面状に形成し、その深さを前記と同様に２５mm以上とする。このように構成した場合、本体１を傾けることなく持ち上げることができ、運搬がさらに容易になっている。
【００１９】
また、実施の形態１では、取っ手２０を形成する凹部の長手方向の外側側面に補強用の複数のリブ２４を設けたことを述べたが、図８に示すように、本体１の運搬時に荷重の加わる側のみに複数のリブ２４を設けて、運搬時の荷重に対する強度を確保するようにしてもよい。
【００２０】
また、実施の形態１で述べた取っ手２１を、図９に示すように制御基板ＢＯＸ２７の水平位置決め用として流用してもよい。本体１前面側の側板に設けられた取付部２６に制御基板ＢＯＸ２７を固定する際、取っ手２１である凹部の外側上面に載せて水平を保ち、その状態で取付部２６の側面に当てることでネジ２８による取り付けが容易となる。
【００２１】
実施の形態２．
図１０は本発明の実施の形態２に係る洗濯機の取っ手を説明するための側面図である。
本実施の形態の取っ手は、図中に示すように上部取っ手２１ａと下部取っ手２１ｂとからなり、これら上部取っ手２１ａと下部取っ手２１ｂは、本体１の重心をほぼ通る対角線上（一点鎖線）で対称となるように配置され、本体１の幅方向にそれぞれ２コずつ併設されている。
なお、上部取っ手２１ａ、下部取っ手２１ｂは幅方向に２コ併設されているが、１コでも良く、４本の指が入る１コの凹部でも、両手の４本の指がそれぞれ入る幅広の１コの凹部からなる取っ手でも良い。
【００２２】
上部取っ手２１ａは、本体１の背面側の上部側板に本体１の幅方向に長く内側に窪んで一体に形成された凹部からなり、下部取っ手２１ｂは、上部底枠２０ａの本体１前面側の底板に本体１の幅方向に長く内側に窪んで一体に形成された凹部からなり、その位置は防水パン２３の側壁より外側に配置されている（図２参照）。上部取っ手２１ａと下部取っ手２１ｂの凹部は、深さが指先から第一関節までの長さ（例えば２５mm）以上に形成され、凹部の長手方向の長さは、少なくとも４本の指が入るように形成され、また、凹部の長手方向の外側側面には補強用の複数のリブ２４（図４参照）がそれぞれ設けられている。
【００２３】
以上のように構成された上部取っ手２１ａと下部取っ手２１ｂとを備えているので、本体１を持ち上げ易くなり、本体１と運搬者とが進行方向一列になり、運搬時の高さ方向がコンパクトになるため、足が突っかかることもなく、狭い階段や廊下を容易に運べることができる。
【００２４】
また、上部取っ手２１ａと下部取っ手２１ｂとが本体１の重心をほぼ通る対角線上に配置されているので、本体１を運搬しているときのバランスがよくなるという効果がある。
【００２５】
また、上部取っ手２１ａが本体１の側板に、下部取っ手２１ｂが底枠２０（上部底枠２０ａ側）にそれぞれ一体に形成されているので、部品点数の削減が可能になり、各取っ手２１ａ、２１ｂの長手方向の外側側面に複数のリブ２４を設けているので、運搬時の荷重に対する強度を確保できる。
【００２６】
また、上部取っ手２１ａが本体１の側板に、下部取っ手２１ｂが底枠２０（上部底枠２０ａ側）にそれぞれ一体成形されているので、洗濯機駆動時の音漏れを抑えることができる。
【００２７】
さらに、下部取っ手２１ｂが防水パン２３の側壁より外側に配置されているので、防水パン２３への設置や、防水パン２３からの取り出しが容易である。
【００２８】
なお、前記の実施の形態２では、上部取っ手２１ａと下部取っ手２１ｂが凹部からなっていることを述べたが、上部取っ手２１ａにおいては凹部の内側側面に、下部取っ手２１ｂにおいては図５に示すように凹部の内側上面にそれぞれゴムなどの弾性体２５を取り付けるようにしてもよい。この場合の凹部の深さは、弾性体２５の底までの深さ（弾性体圧縮時の深さ）が２５mm以上となるように形成されている。このように取っ手２１に弾性体２５を設けた場合、本体１を運搬しているときの指先への負担が軽減され、持ちやすくなっている。
【００２９】
また、上部取っ手２１ａと下部取っ手２１ｂを形成する凹部の各面が平らであることを述べたが、上部取っ手２１ａにおいては凹部の内側側面が本体１内に突出するように曲面状に形成し、下部取っ手２１ｂにおいては図６に示すように凹部の内側上面が底枠２０の内側に突出するように曲面状に形成してもよい。この場合の各凹部の深さは、前記と同様に２５mm以上となるように形成されている。このように構成した場合、本体１を運搬しているときの指先への負担が軽減され、持ちやすくなっている。
【００３０】
また、上部取っ手２１ａと下部取っ手２１ｂを形成する凹部の長手方向の外側側面に補強用の複数のリブ２４を設けたことを述べたが、本体１の運搬時に荷重の加わる側のみに複数のリブ２４を設けて、運搬時の荷重に対する強度を確保するようにしてもよい。
【００３１】
また、下部取っ手２１ｂを、制御基板ＢＯＸ２７の水平位置決め用として流用してもよい（図９参照）。本体１前面側の側板に設けられた取付部２６に制御基板ＢＯＸ２７を固定する際、下部取っ手２１ｂである凹部の外側上面に載せて水平を保ち、その状態で取付部２６の側面に当てることでネジ２８による取り付けが容易となる。
【００３２】
また、実施の形態２では、上部取っ手２１ａは下部取っ手２１ｂと対称となるように本体１の背面側の上部側板に設けたことを述べたが、上部取っ手１ａと下部取っ手２１ｂとが本体１の重心をほぼ通る対角線上で対称位置となるように、例えば図１１に示すように本体１のトップカバー４の背面側の側板、もしくは本体１の側板の上部に設けてもよい。
【００３３】
また、上部取っ手２１ａを本体１の背面側の上部側板に、下部取っ手２１ｂを上部底枠２０ａの本体１前面側の底板にそれぞれ設けたことを述べたが、図１２に示すように、上部取っ手２１ａを本体１前面側の上部側板に、下部取っ手２１ｂを上部底枠２０ａの本体１背面側の側板にそれぞれ設けてもよい。この場合、それぞれの取っ手２０ａ、２０ｂが本体１の重心をほぼ通る対角線上（一点鎖線）で対称となる位置に設けられている。
【００３４】
実施の形態３．
図１３は本発明の実施の形態３に係る洗濯機の取っ手を説明するための側面図である。  図中に示す取っ手２１は、本体１を防水パン２３に載せるときに前方に傾けるためのもので、本体１のトップカバー４の背面側の側板に幅方向に２コ併設されている。この取っ手２１は、前述したように本体１の幅方向に長く内側に窪んで一体に形成された凹部からなり、その深さは前記のように２５mm以上で、長手方向の長さは、少なくとも４本の指が入るように形成されている。また、凹部の長手方向の外側側面には補強用の複数のリブ２４がそれぞれ設けられている。
【００３５】
このように、本体１のトップカバー４の背面側の側板に取っ手２１を設けているので、本体１を手前側に傾ける際に大きな力を要することなく傾けることができ、本体１を容易に防水パン２３に載せることが可能になる。
【００３６】
また、取っ手２１が本体１のトップカバー４の背面側の側板と一体に形成されているので、部品点数の削減が可能になり、取っ手２１の長手方向の外側側面に複数のリブ２４を設けているので、本体１を防水パン２３に載せるときの荷重に対する強度を確保できる。
【００３７】
また、取っ手２１が本体１のトップカバー４の背面側の側板と一体に形成されているので、洗濯機駆動時の音漏れを抑えることができる。
【００３８】
なお、前記の実施の形態３では、取っ手２１は幅方向に２コ併設されているが、４本の指が入る一コの凹部からなる取っ手でも、さらに両手の４本の指がそれぞれ入る幅広の１コの凹部からなる取っ手でも良い。また、取っ手の深さは、凹部の周りにリブ等を設けることで一定以上の深さを確保するようにしても良い。
また、前記の実施の形態３では、取っ手２１が凹部からなっていることを述べたが、その凹部の奧の側面にゴムなどの弾性体２５を取り付けるようにしてもよい。この場合の凹部の深さは、前述したように弾性体２５の底までの深さ（弾性体圧縮時の深さ）が２５mm以上となるように形成されている。このように取っ手２１に弾性体２５を設けた場合、本体１を傾けるときの指先への負担が軽減され、持ちやすくなっている。
【００３９】
また、取っ手２１を形成する凹部の各面が平らであることを述べたが、その凹部の奧の側面がトップカバー４内に突出するように曲面状に形成してもよい。この場合の凹部の深さは、前記と同様に２５mm以上となるように形成されている。このように構成した場合、本体１を傾けるときの指先への負担が軽減され、持ちやすくなっている。
【００４０】
また、取っ手２１を形成する凹部の長手方向の外側側面に補強用の複数のリブ２４を設けたことを述べたが、本体１を傾けるときに荷重の加わる側のみに複数のリブ２４を設けて、本体１を傾けたときの荷重に対する強度を確保するようにしてもよい。
【００４１】
実施の形態４．
図１４は本発明の実施の形態４に係る洗濯機の底枠を示す下面側斜視図である。
実施の形態４においては、本体１の底部を構成する底枠２０は、図中に示すように底板が平らに形成され、底枠２０の本体１前面側の底板に幅方向に２コの取っ手２１が併設されている。この取っ手２１は、底板に幅方向に長く内側に窪んで一体に形成された凹部からなり、その深さは前記のように２５mm以上で、長手方向の長さは、少なくとも４本の指が入るように形成されている。また、凹部の長手方向の外側側面には補強用の複数のリブ２４がそれぞれ設けられている（図４参照）。
【００４２】
このように、取っ手２１が凹部で、その深さが２５mm以上あるため、本体１を持ち上げ易くなり、本体１と運搬者とが進行方向一列になり、運搬時の高さ方向がコンパクトになるため、足が突っかかることもなく、狭い階段や廊下を容易に運べることができる。
【００４３】
また、取っ手２１が底枠２０と一体に形成されているので、部品点数の削減が可能になり、取っ手２１の長手方向の外側側面に複数のリブ２４を設けているので、運搬時の荷重に対する強度を確保できる。
【００４４】
また、取っ手２１が底枠２０と一体に形成されているので、洗濯機駆動時の音漏れを抑えることができる。
【００４５】
なお、前記の実施の形態４では、取っ手２１は幅方向に２コ併設されているが、４本の指が入る一コの凹部からなる取っ手でも、さらに両手の４本の指がそれぞれ入る幅広の１コの凹部からなる取っ手でも良い。また、取っ手の深さは、凹部の周りにリブ等を設けることで一定以上の深さを確保するようにしても良い。
また、前記の実施の形態４では、取っ手２１が凹部からなっていることを述べたが、図５に示すように凹部の内側上面にゴムなどの弾性体２５を取り付けるようにしてもよい。この場合の凹部の深さは、弾性体２５の底までの深さ（弾性体圧縮時の深さ）が２５mm以上となるように形成されている。このように取っ手２１に弾性体２５を設けた場合、本体１を運搬しているときの指先への負担が軽減され、持ちやすくなっている。
【００４６】
また、取っ手２１を形成する凹部の内側上面が平らであることを述べたが、図６に示すようにその部分を底枠２０の内側に突出するように曲面状に形成してもよい。この場合の凹部の深さは、前記と同様に２５mm以上となるように形成されている。このように構成した場合、本体１を運搬しているときの指先への負担が軽減され、持ちやすくなっている。
【００４７】
また、実施の形態４では、取っ手２０を形成する凹部の長手方向の外側側面に補強用の複数のリブ２４を設けたことを述べたが、図８に示すように、本体１の運搬時に荷重の加わる側のみに複数のリブ２４を設けて、運搬時の荷重に対する強度を確保するようにしてもよい。
【００４８】
また、取っ手２１を、図９に示すように制御基板ＢＯＸ２７の水平位置決め用として流用してもよい。本体１前面側の側板に設けられた取付部２６に制御基板ＢＯＸ２７を固定する際、取っ手２１である凹部の外側上面に載せて水平を保ち、その状態で取付部２６の側面に当てることでネジ２８による取り付けが容易となる。
【００４９】
実施の形態５．
図１５は本発明の実施の形態５に係る洗濯機の底枠を示す下面側斜視図である。
実施の形態５における取っ手３１は、略Ｕ字状に形成され、底枠２０の本体１前面側の底板に一体に形成された凹部３０の中に取り付けられている。この取っ手３１の高さは、凹部３０の深さより短くなっている。凹部３０には、長手方向の外側側面に補強用の複数のリブ（図示せず）が設けられている。
【００５０】
このように、底枠２０の本体１前面側の底板に形成された凹部３０の中にＵ字状の取っ手３１を備えているので、本体１を持ち上げ易くなり、本体１と運搬者とが進行方向一列になり、運搬時の高さ方向がコンパクトになるため、足が突っかかることもなく、狭い階段や廊下を容易に運べることができる。
【００５１】
また、取っ手３１が凹部３０の中に収まって入るので、新たなゴム足を製作する必要がなく、既存のゴム足２２を使用できる。
なお、取っ手３１の高さは、凹部３０より短くするようにしたが、これに限るものではない。本体１の載置面の床に接触しなければ凹部３０より長くても良く、つまり、凹部３０＋本体１の載置面の床とのクリアランス分の高さまでの長さ（高さ）であれば良い。
【００５２】
実施の形態６．
図１６は本発明の実施の形態６に係る洗濯機の底枠を示す下面側斜視図である。
実施の形態６における取っ手３１は、略Ｕ字状に形成され、底枠２０の本体１前面側の底板に設けられた一対の取付穴３２にそれぞれ着脱可能に取り付けられるようになっている。この取っ手３１は、本体１を運搬するときのみに取付穴３２に装着して使用する。また、本体１を防水パン２３に載せた際に、取っ手３１を外すことになるが、取付穴３２を防振ゴムなどで塞ぐようになっている。これは、洗濯機駆動時に発生する音漏れを抑えるためである。
【００５３】
このように、取っ手３１を一対の取付穴３２に着脱可能に取り付けられるようにしているので、取っ手３１を洗濯機毎に付属品として用意する必要がなくなり、機種の異なる洗濯機にも展開が可能になり、コスト削減に繋がる。また、取っ手３１が略Ｕ字状であるため、本体１を持ち上げ易くなり、本体１と運搬者とが進行方向一列になり、運搬時の高さ方向がコンパクトになるため、足が突っかかることもなく、狭い階段や廊下を容易に運べることができる。
【００５４】
なお、前記の実施の形態６では、取っ手３１を底枠２０の底板に設けられた一対の取付穴３２にそれぞれ着脱可能に取り付けられるようにしたが、図１７に示すように底枠２０の本体１前面側の側板にそれぞれ着脱可能に取り付けられるようにしてもよい。このようにした場合も、本体１を持ち上げ易くなり、本体１と運搬者とが進行方向一列になるので、狭い階段や廊下を容易に運べることができる。
【００５５】
また、図１８に示すように底枠２０の側面側の側板にそれぞれ着脱可能に取り付けられるようにしてもよい。このようにした場合も本体１を持ち上げ易くなり、容易に運べることができる。
なお、底枠２０の側板（正面又は側面）に取付穴３２が設けられた洗濯機を防水パン２３に載せた後は、その取付穴３２を防振ゴムなどで塞ぐようになっている。これは、前述したように洗濯機駆動時に発生する音漏れを抑えるためである。
【００５６】
なお、上記実施の形態１〜４は、懸架された水槽が前方に揺動可能とし内蓋を設けた洗濯機に取っ手を設けたものであるが、これに限るものではなく、水槽が揺動しないタイプの洗濯機や、内蓋レスの洗濯機、水槽の開口部が前面方向に開口したドラム式の洗濯機、ＤＤモータ搭載の洗濯機などに上記取っ手を設けたものであっても良く、同様の効果を得ることができる。
【図面の簡単な説明】
【００５７】
【図１】本発明の実施の形態１を示す洗濯機の側面側の説明図である。
【図２】底枠の側面側を示す断面図である。
【図３】底枠の下面側斜視図である。
【図４】底枠の上面側斜視図である。
【図５】底枠の取っ手の他の例を示す断面図である。
【図６】底枠の取っ手の他の例を示す断面図である。
【図７】底枠の取っ手の他の例を示す断面図である。
【図８】底枠の取っ手の他の例を示す上面側斜視図である。
【図９】底枠の取っ手に設けられた制御基板ＢＯＸの説明図である。
【図１０】本発明の実施の形態２に係る洗濯機の取っ手を説明するための側面図である。
【図１１】取っ手の他の例を示す洗濯機の側面図である。
【図１２】取っ手の他の例を示す洗濯機の側面図である。
【図１３】本発明の実施の形態３に係る洗濯機の取っ手を説明するための側面図である。
【図１４】本発明の実施の形態４に係る洗濯機の底枠を示す下面側斜視図である。
【図１５】本発明の実施の形態５に係る洗濯機の底枠を示す下面側斜視図である。
【図１６】本発明の実施の形態６に係る洗濯機の底枠を示す下面側斜視図である。
【図１７】底枠の取っ手の他の例を示す下面側斜視図である。
【図１８】底枠の取っ手の他の例を示す下面側斜視図である。
【符号の説明】
【００５８】
１  本体、４  トップカバー、２０  底枠、２０ａ  上部底枠、２０ｂ  下部底枠、
２１  取っ手、２１ａ  上部取っ手、２１ｂ  下部取っ手、２２  ゴム足、２３  防水パン、２４  リブ、２５  弾性体、２６  取付部、２７  制御基板ＢＯＸ、２８  ネジ、
３０  凹部、３１  取っ手、３２  取付穴。
【図１】
2008188339.tif 000003
【図２】
2008188339.tif 000004
【図３】
2008188339.tif 000005
【図４】
2008188339.tif 000006
【図５】
2008188339.tif 000007
【図６】
2008188339.tif 000008
【図７】
2008188339.tif 000009
【図８】
2008188339.tif 000010
【図９】
2008188339.tif 000011
【図１０】
2008188339.tif 000012
【図１１】
2008188339.tif 000013
【図１２】
2008188339.tif 000014
【図１３】
2008188339.tif 000015
【図１４】
2008188339.tif 000016
【図１５】
2008188339.tif 000017
【図１６】
2008188339.tif 000018
【図１７】
2008188339.tif 000019
【図１８】
2008188339.tif 000020